(57)【要約】【課題】連結部の強度を高める。【解決手段】雄側端子金具１０は、略角筒状をなす本体部１２と、タブ１３とが連結部１４を介して連結された構成とされている。タブ１３は、右側部が切離された略角筒状に形成されており、その切離部分１９を除いた上下外面に相手の雌側端子金具が導通接触可能とされている。連結部１４は、底壁１４ａと、底壁１４ａの両側縁から立ち上がる一対の側壁１４ｂ，１４ｄと、左側の側壁１４ｂから右方へ突出するとともに底壁１４ａと対向する天井壁１４ｃとを備えるとともに、天井壁１４ｃと右側の側壁１４ｄとの間がタブ１３の切離部分１９に連続するように切離された略角筒状に形成され、各壁１４ａ，１４ｂ，１４ｃ，１４ｄが本体部１２の前端に繋げられている。【選択図】図２
2006128143.tif 000002
【特許請求の範囲】
【請求項１】
母材から打ち抜いた展開形状のものに曲げ加工などを施すことで成形されるものであって、略筒状をなす本体部と、相手の雌側端子金具と導通接触可能なタブとが連結部を介して連結された構成とされ、且つ前記タブは、周方向について一部が切離された略筒状に形成されるとともにその切離部分をタブのうち前記相手の雌側端子金具とは非接触となる位置に配した構成とされるものにおいて、
前記連結部は、底壁と、底壁の両側縁から立ち上がる一対の側壁と、一方の側壁から突設されるとともに底壁に対向する天井壁とを備えるとともに、天井壁と他方の側壁との間が前記タブの切離部分に連続して切離された略筒状に形成され、且つ前記底壁、前記一対の側壁及び前記天井壁が前記本体部に対して繋げられており、
前記天井壁における突出端部が前記他方の側壁における突出端面に当接されるとともに、この天井壁の突出端部が前記他方の側壁の外面よりも内側に引っ込んで配されていることを特徴とする雄側端子金具。
【請求項２】
前記本体部からは、前記連結部を構成する前記天井壁に覆い被さる保護壁が突出して設けられていることを特徴とする請求項１記載の雄側端子金具。
【発明の詳細な説明】
【技術分野】
【０００１】
本発明は、雄側端子金具に関する。
【背景技術】
【０００２】
従来、タブを備えた雄側端子金具の一例として下記特許文献１に記載されたものが知られている。このものは、図５に示すように、本体部１とタブ２とを連結部３を介して連結した構成とされ、このうちタブ２は、その上下面に対して導通接触される相手の雌側端子金具との接触状態を安定させるべく、切離部分２ａを雌側端子金具とは非接触となる側部に配している。連結部３は、底壁３ａと右側壁３ｂとの間がタブ２の切離部分２ａに連続して切離された略角筒状に形成されている。
【特許文献１】特許第３０４６７３１号公報
【発明の開示】
【発明が解決しようとする課題】
【０００３】
ところで、連結部３のうち底壁３ａと左側壁３ｃとがタブ２及び本体部１に連結されるのに対し、天井壁３ｄがタブ２にのみ連結されて本体部１とは切り離され、さらに右側壁３ｂが天井壁３ｄから突設されていてタブ２及び本体部１と切り離されている。このため、連結部３の強度が不足し勝ちとなり、タブ２を上下に揺動させるような力が作用した場合には、連結部３がタブ２を支えきれなくなって変形する可能性があった。
本発明は上記のような事情に基づいて完成されたものであって、連結部の強度を高めることを目的とする。
【課題を解決するための手段】
【０００４】
上記の目的を達成するための手段として、請求項１の発明は、母材から打ち抜いた展開形状のものに曲げ加工などを施すことで成形されるものであって、略筒状をなす本体部と、相手の雌側端子金具と導通接触可能なタブとが連結部を介して連結された構成とされ、且つ前記タブは、周方向について一部が切離された略筒状に形成されるとともにその切離部分をタブのうち前記相手の雌側端子金具とは非接触となる位置に配した構成とされるものにおいて、前記連結部は、底壁と、底壁の両側縁から立ち上がる一対の側壁と、一方の側壁から突設されるとともに底壁に対向する天井壁とを備えるとともに、天井壁と他方の側壁との間が前記タブの切離部分に連続して切離された略筒状に形成され、且つ前記底壁、前記一対の側壁及び前記天井壁が前記本体部に対して繋げられており、前記天井壁における突出端部が前記他方の側壁における突出端面に当接されるとともに、この天井壁の突出端部が前記他方の側壁の外面よりも内側に引っ込んで配されている構成としたところに特徴を有する。
【０００５】
請求項２の発明は、請求項１に記載のものにおいて、前記本体部からは、前記連結部を構成する前記天井壁に覆い被さる保護壁が突出して設けられているところに特徴を有する。
【発明の効果】
【０００６】
＜請求項１の発明＞
連結部を構成する全ての壁が本体部に対して繋げられているから、従来のように連結部が部分的に本体部とは切り離されたものと比較して、連結部の強度を高くすることができる。従って、タブに対してその軸線方向と交差する向きに力が作用した場合でも連結部が変形し難くすることができる。
他方の側壁に天井壁を当接させることで、連結部を略筒形状に保持することができ、強度を一層高めることができる。
【０００７】
＜請求項２の発明＞
保護壁により、外部から異物などが天井壁に対して直接に干渉するのを防ぐことができ、また天井壁が外側に捲れるようにして変形するのを防ぐことができる。
【発明を実施するための最良の形態】
【０００８】
本発明の一実施形態を図１ないし図４によって説明する。本実施形態では、電線（図示せず）に圧着接続される雄側端子金具１０を示す。なお以下では、図１の左方を前方とし、右方を後方として説明する。
【０００９】
雄側端子金具１０は、母材である金属板を打ち抜くことで、図４に示す展開形状のものを成形し、このものに曲げ加工などを施すことで図１に示すような形状に成形されている。この雄側端子金具１０は、電線の端末にかしめ付けられる前後一対ずつのかしめ片１１ａ，１１ｂを備えたバレル部１１と、略角筒状をなす本体部１２と、図示しない相手の雌側端子金具に対して導通接触可能なタブ１３と、本体部１２とタブ１３とを連結する連結部１４とから構成されている。
【００１０】
本体部１２は、図２に示すように、前後に延出する底壁１２ａと、底壁１２ａの両側縁から立ち上がる一対の側壁１２ｂ，１２ｄと、図２の左側の側壁１２ｂの上端から右方へ突出するとともに底壁１２ａに対向する天井壁１２ｃと、右側の側壁１２ｄの上端から左方へ突出するとともに天井壁１２ｃの外側に重ね合わせられる外壁１２ｅとから構成されている。外壁１２ｅには、方形をなす切欠部１５が上方及び右側方へ開口して形成され、そこに天井壁１２ｃの突出端に設けられた突片１６が差し込まれて右側の側壁１２ｄの上端面に当接されている。また切欠部１５の前縁には、突起１７が上方へ叩き出して設けられている。また外壁１２ｅの後端部先端からは、上方へ突出するスタビライザ１８が設けられている。
【００１１】
タブ１３は、全体として図２の右側部が切離された略角筒状に形成されており、底壁１３ａと、底壁１３ａの左側縁から立ち上がる側壁１３ｂと、側壁１３ｂの上端から右方へ突出するとともに底壁１３ａに対向する天井壁１３ｃとを備えている。言い換えるとこのタブ１３は、右側方へ開放した断面略コ字型に形成されている。このタブ１３は、相手の雌側端子金具に設けられた受け部と弾性接触片とにより上下から挟まれた状態で弾性接触されるようになっており、底壁１３ａの下面及び天井壁１３ｃの上面が接触面とされている。別言すると、タブ１３の切離部分１９に対して雌側端子金具は非接触とされるようになっている。底壁１３ａと天井壁１３ｃとの前端からは、それぞれガイド壁２０，２１が前方へ突出して設けられており、両ガイド壁２０，２１は、互いの前端部を接近させるよう斜めに屈曲して形成されることで、相手の雌側端子金具との接続動作を案内できるようになっている。
【００１２】
連結部１４は、全体として本体部１２側からタブ１３側にかけて先窄み状に形成されるとともに、タブ１３の切離部分１９に連続するよう一部（天井壁１４ｃと右側の側壁１４ｄとの間）が切離された略角筒状に形成されている。連結部１４は、図３に示すように、底壁１４ａと、底壁１４ａの両側縁から立ち上がる一対の側壁１４ｂ，１４ｄと、図３の左側の側壁１４ｂから右方へ突出するとともに底壁１４ａと対向する天井壁１４ｃとから構成されている。連結部１４をなす各壁１４ａ，１４ｂ，１４ｃ，１４ｄは、その後端が全周にわたって本体部１２における外壁１２ｅを除いた各壁１２ａ，１２ｂ，１２ｃ，１２ｄの前端に繋げられている（図４参照）。各壁１４ａ，１４ｂ，１４ｃ，１４ｄは、図２に示すように、前端側に行くに従って幅寸法が小さくなるよう形成されており、その前端が全周にわたってタブ１３をなす各壁１３ａ，１３ｂ，１３ｃに対して全周にわたって繋げられている。ここで連結部１４の右側の側壁１４ｄは、その前端がタブ１３の底壁１３ａに繋げられている。
【００１３】
天井壁１４ｃの突出端からは、略三角形状をなす支持突部２２が右方へ突出して設けられ、この支持突部２２が右側の側壁１４ｄにおける上端面（突出端面）に対して当接されている。これにより、連結部１４を略筒形状に保持できるようになっている。天井壁１４ｃの上方には、本体部１２の外壁１２ｅの前端から前方へ向けて突設された保護壁２３が配されている。この保護壁２３は、天井壁１４ｃに沿って前傾した姿勢になるよう屈曲して形成されるとともに、天井壁１４ｃから僅かに離間した上方位置において天井壁１４ｃをほぼ全長にわたって覆い被さるようにして配されている。この保護壁２３により、外部から異物などが天井壁１４ｃに対して直接に干渉するのを防ぐことができ、また天井壁１４ｃが外側へ捲れるようにして変形するのを防ぐことができるようになっている。
【００１４】
以上説明したように本実施形態によれば、連結部１４を構成する全ての壁１４ａ，１４ｂ，１４ｃ，１４ｄが本体部１２に対して繋げられているから、従来のように連結部が部分的に本体部とは切り離されたものと比較して、連結部１４の強度を高く保つことができる。従って、タブ１３を上下（タブ１３の軸線方向と交差する向き）に揺動させるような力が作用した場合でも連結部１４が変形し難くすることができる。
【００１５】
しかも、天井壁１４ｃから突設した支持突部２２を側壁１４ｄの上端面に当接させることで、連結部１４を略角筒形状に保持することができ、連結部１４の強度を一層高めることができる。
【００１６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、天井壁から突設した支持突部が側壁に当接するものを示したが、例えば支持突部を省略してその代わりに天井壁の突出長さを大きくするとともにその突出端部を側壁に当接するようにしてもよい。その他にも支持突部を省略して側壁の内側面に対して天井壁の突出端面と当接させるようにしてもよく、また天井壁と側壁とが互いに離間したものも本発明に含まれる。
【００１７】
（２）上記した実施形態では、タブが側部を開放した断面略コ字型のものを示したが、タブが切離部分同士を当接させることで閉じた筒形状のものも本発明に含まれる。
（３）上記した実施形態では、電線に圧着接続される雄側端子金具について例示したが、電線を圧接するタイプのものにも本発明は適用可能である。
【図面の簡単な説明】
【００１８】
【図１】本発明の一実施形態に係る雄側端子金具の側面図
【図２】雄側端子金具の部分斜視図
【図３】図１のＸ−Ｘ線断面図
【図４】展開状態とした雄側端子金具を示す部分平面図
【図５】従来例の斜視図
【符号の説明】
【００１９】
１０…雄側端子金具
１２…本体部
１３…タブ
１４…連結部
１４ａ…底壁
１４ｂ…側壁（一方の側壁）
１４ｃ…天井壁
１４ｄ…側壁（他方の側壁）
１９…切離部分
２２…支持突部（突出端部）
【図１】
2006128143.tif 000003
【図２】
2006128143.tif 000004
【図３】
2006128143.tif 000005
【図４】
2006128143.tif 000006
【図５】
2006128143.tif 000007